(57)【要約】【課題】十分な強度の電波を線状に放射することができ、ひいては細い柱や穴などの狭所に配置することが可能なアンテナを提供する。【解決手段】本アンテナは、所定の方向に延びる基板１と、基板１上に設けられた給電部２と、基板１上に設けられた終端抵抗部３と、基板１上に設けられ、給電部２と終端抵抗部３を通電可能な状態で接続するストリップライン部４とを備える。ストリップライン部４は、基板１の長さ方向に延び、かつ基板１の幅方向に互いに所定距離を隔てながら横列状態に並ぶ態様に形成された複数のストリップライン４３ａ、４３ｂを備える。各ストリップライン４３ａ、４３ｂの間において、基板１の長さ方向に延び、かつ各ストリップライン４３と所定距離を隔てる態様で無給電電極部５が設けられる。無給電電極部５はストリップライン４３ａ、４３ｂを流れる電流の周波数の半波長程度の長さを有する。【選択図】図１
2015198372.tif 000002
【特許請求の範囲】
【請求項１】
所定の方向に延びる基板と、該基板上に設けられた給電部と、前記基板上に設けられた終端抵抗部と、前記基板上に設けられ、前記給電部と前記終端抵抗部を通電可能な状態で接続するストリップライン部とを備えるアンテナであって、
前記ストリップライン部は、前記基板の長さ方向に延び、かつ前記基板の幅方向に互いに所定距離を隔てながら横列状態に並ぶ態様に形成された複数のマイクロストリップラインを備え、
各マイクロストリップラインの間において、前記基板の長さ方向に延び、かつ各マイクロストリップラインと所定距離を隔てる態様で無給電電極部が設けられ、該無給電電極部は前記マイクロストリップラインを流れる電流の周波数の半波長の整数倍の長さを有することを特徴とするアンテナ。
【請求項２】
前記ストリップライン部は、一つの前記給電部から前記基板の幅方向に複数のマイクロストリップラインに分岐したあと、各マイクロストリップラインが前記基板の長さ方向に延び、かつ前記基板の幅方向に互いに所定距離を隔てながら横列状態に並び、いずれも一つの前記終端抵抗部に収束しながら到達する態様に形成されている請求項１に記載のアンテナ。
【請求項３】
前記無給電電極部は、互いに所定距離を隔てながら複数設けられている請求項１または請求項２に記載のアンテナ。
【請求項４】
前記無給電電極部は、前記基板の幅方向に互いに所定距離を隔てながら横列状態に並ぶ態様で設けられている請求項３に記載のアンテナ。
【請求項５】
前記無給電電極部は、前記基板の長さ方向に互いに所定距離を隔てながら縦列状態に並ぶ態様で設けられている請求項３または請求項４に記載のアンテナ。
【請求項６】
前記無給電電極部は、前記基板の長さ方向に沿って前記給電部から前記終端抵抗部に向かうに従って、前記基板の幅方向の横列数が段階的に増加する態様で設けられている請求項５に記載のアンテナ。
【請求項７】
前記無給電電極部は、前記基板の長さ方向に沿って前記給電部から前記終端抵抗部に向かうに従って、前記基板の幅方向の長さが段階的に長くなる態様で設けられている請求項５または請求項６に記載のアンテナ。
【請求項８】
請求項１から請求項７のいずれか記載のアンテナと、該アンテナと通信を行うＲＦＩＤタグと、該アンテナに接続されたリーダ装置とを備え、アンテナによりＲＦＩＤタグの情報を受信してリーダ装置により読み取ることを特徴とするＲＦＩＤ読取システム。
【発明の詳細な説明】
【技術分野】
【０００１】
本発明は、他の通信装置と近接させることによって通信可能となるアンテナに関するものである。
【背景技術】
【０００２】
従来より無線通信において、各種のアンテナが使用されている。このアンテナとは高周波エネルギーを電波として空間に放射、あるいは逆に空間の電波を高周波エネルギーへ相互に変換する装置のことである。アンテナは、その用途などから送信用アンテナと受信用アンテナに分けられることがあるが、可逆性があり送受信を兼用することができるものが多い。
【０００３】
このアンテナには、代表的なものとしてダイポールアンテナがある。ダイポールアンテナは、ケーブルの先の給電点に２本の直線状の導線を左右対称につけたアンテナである。このダイポールアンテナは、導線に垂直な方向で電波の放射が最大になり、導線に平行な方向には放射がゼロになる性質を有する。具体的には、放射の角度と強度の関係を図示すると、「８」の字のように円を２個連ねた形になる。このため、ダイポールアンテナは、特定の狭い方向の電波だけを受信する性質（指向性）が大きく、この特定の方向から方向がずれると急激に感度が低下する。
【０００４】
したがって、ダイポールアンテナは、通信方向が定まった遠距離用のアンテナとして利用することは有効であるが、通信先がわずかに移動するだけで通信方向が大きく変化する近距離用のアンテナとして利用することは有効ではなかった。
【０００５】
そこで、従来、近距離用のアンテナとして、特許文献１に示すアンテナが提案されていた。このアンテナは、電波長λの周波数帯で通信する通信装置と、電波長λ以外の周波数帯で通信する通信装置とのいずれにも接続可能なアンテナであって、前記アンテナに接続された通信装置は他の通信装置と通信し、当該通信装置が接続される信号端子と接地端子を有する給電部、 前記給電部の信号端子に一端が接続され、当該他の通信装置に接続される他のアンテナと近接して容量結合もしくは電磁誘導結合する導体線からなる線路部、前記給電部の接地端子と前記線路部の他端との間を接続する終端抵抗部を備えるものである。
【先行技術文献】
【特許文献】
【０００６】
【特許文献１】特開２０１０−１６４４５号公報
【発明の概要】
【発明が解決しようとする課題】
【０００７】
しかしながら、上記アンテナは、線路部の一端（給電部側）から他端（終端抵抗部側）に向かうに従って、放射される電波の強度が急激に減衰するものであった。このため上記アンテナの実際の使用に際しては、渦巻き状に巻いた状態にしなければならないため（上記特許文献１の図１０参照）、十分な強度の電波を線状に放射することができず、細い柱や穴などの狭所に配置することは困難であるという問題があった。
【０００８】
本発明は、上述の問題に鑑みてなされたものであり、十分な強度の電波を線状に放射することができ、ひいては細い柱や穴などの狭所に配置することが可能なアンテナを提供することを目的とする。
【課題を解決するための手段】
【０００９】
本発明は、上記目的を達成するために、所定の方向に延びる基板と、該基板上に設けられた給電部と、前記基板上に設けられた終端抵抗部と、前記基板上に設けられ、前記給電部と前記終端抵抗部を通電可能な状態で接続するストリップライン部とを備えるアンテナであって、前記ストリップライン部は、前記基板の長さ方向に延び、かつ前記基板の幅方向に互いに所定距離を隔てながら横列状態に並ぶ態様に形成された複数のマイクロストリップラインを備え、各マイクロストリップラインの間において、前記基板の長さ方向に延び、かつ各マイクロストリップラインと所定距離を隔てる態様で無給電電極部が設けられ、該無給電電極部は前記マイクロストリップラインを流れる電流の周波数の半波長の整数倍の長さを有することを特徴とする。
【００１０】
これによれば、電流が給電部から各マイクロストリップラインを通じて終端抵抗部まで流れると、各マイクロストリップラインの周囲に電界および磁界が生じ、各マイクロストリップラインと無給電電極部が電磁的に結合するため、無給電電極部の内部に電流が発生して、無給電電極部から電波が放射される。このとき無給電電極部は、マイクロストリップラインを流れる電流の周波数の半波長の整数倍の長さを有しているため、無給電電極部から放射される電波が共振することにより、十分な強度の電波を線状に放射することができる。
【００１１】
また、前記ストリップライン部は、一つの前記給電部から前記基板の幅方向に複数のマイクロストリップラインに分岐したあと、各マイクロストリップラインが前記基板の長さ方向に延び、かつ前記基板の幅方向に互いに所定距離を隔てながら横列状態に並び、いずれも一つの前記終端抵抗部に収束しながら到達する態様に形成されているのが好ましい。
【００１２】
これによれば、各マイクロストリップラインには一つの給電部から分岐した電流が流れるため、各マイクロストリップラインを流れる電流の周波数が同一となる。このため、各マイクロストリップラインの間に設けられた無給電電極部は、各ストリップライン部から同一の周波数の電界および磁界を両側から受けるため、無給電電極部から放射される電波を効率的に共振させることができる。
【００１３】
また、前記無給電電極部は、互いに所定距離を隔てながら複数設けられていてもよい。これによれば電波の放射量、放射方向および放射長さを容易に設計変更することができる。
【００１４】
また、前記無給電電極部は、前記基板の幅方向に互いに所定距離を隔てながら横列状態に並ぶ態様で設けられている場合、横列状態に並ぶ態様で設けられた各無給電電極部から電波が放射されるため、強度の大きな電波を効率良く線状に放射することができる。
【００１５】
また、前記無給電電極部は、前記基板の長さ方向に互いに所定距離を隔てながら縦列状態に並ぶ態様で設けられている場合、縦列状態に並ぶ態様で設けられた各無給電電極部から電波を線状に放射されるため、基板の長さ方向に沿って十分な強度の電波を線状に放射することができる。
【００１６】
また、前記無給電電極部は、前記基板の長さ方向に沿って前記給電部から前記終端抵抗部に向かうに従って、前記基板の幅方向の横列数が段階的に増加する態様で設けられてもよい。これによれば、基板の長さ方向に沿って給電部から終端抵抗部に向かうに従って十分な強度の電波をバランス良く線状に放射することができる。
【００１７】
また、前記無給電電極部は、前記基板の長さ方向に沿って前記給電部から前記終端抵抗部に向かうに従って、前記基板の幅方向の長さが段階的に長くなる態様で設けられてもよい。これによれば、基板の長さ方向に沿って給電部から終端抵抗部に向かうに従って十分な強度の電波をバランス良く線状に放射することができる。
【００１８】
また、本発明に係るＲＦＩＤ読取システムは、上記アンテナと、該アンテナと通信を行うＲＦＩＤタグと、該アンテナに接続されたリーダ装置とを備え、アンテナによりＲＦＩＤタグの情報を受信してリーダ装置により読み取ることを特徴とする。
【発明の効果】
【００１９】
本発明によれば、電流が給電部から各マイクロストリップラインを通じて終端抵抗部まで流れると、各マイクロストリップラインの周囲に電界および磁界が生じ、各マイクロストリップラインと無給電電極部が電磁的に結合するため、無給電電極部の内部に電流が発生して、無給電電極部から電波が放射される。このとき無給電電極部は、各マイクロストリップラインを流れる電流の周波数の半波長の整数倍の長さを有しているため、無給電電極部から放射される電波が共振することにより、十分な強度の電波を線状に放射することができる。
【００２０】
また、本アンテナは、各マイクロストリップラインの間に無給電電極部が設けられる構造であるため、無給電電極部から放射される電波が基板の幅方向に対称なバランスの良い状態となる。
【００２１】
また、無給電電極部を設けるだけなので、簡易な構成にして製造コストを抑えることができる。
【００２２】
また、本アンテナは、無給電電極部の長さを変更することにより、放射される電波の周波数を容易に設計変更することができる。
【００２３】
また、本アンテナは、無給電電極部５の本数や配置を変更することにより、利得や電波の指向性を容易に設計変更することができる。
【００２４】
また、本アンテナは、ストリップライン部および無給電電極部が設けられた基板を幅狭に形成し得るため、本アンテナを細い柱や穴などの狭所に設置することができ、アンテナの用途を広げることが可能となる。例えば、該アンテナは、試着室の鏡枠に設置され、被服に取り付けられたＲＦＩＤタグと通信することにより、該被服が試着室に持ちこまれた回数などを計測することができる。このため、販売者は、この計測の結果を被服の陳列方法に反映させたり、商品開発に反映させたりすることが可能となる。
【図面の簡単な説明】
【００２５】
【図１】本発明に係るアンテナを示す平面図および正面図である。
【図２】図１のII部の要部拡大図である。
【図３】図１のIII(a)-III(a)線およびIII(b)-III(b)線の断面矢視図である。
【図４】図１のアンテナの電波の放射状況を示す分布図である。
【図５】第２の実施形態に係るアンテナを示す平面図および正面図である。
【図６】図５のVI(a)(b)部の要部拡大図である。
【図７】図５のVII(a)-VII(a)線、VII(b)-VII(b)線およびVII(c)-VII(c)線の断面矢視図である。
【図８】図５のアンテナの電波の放射状況を示す分布図である。
【図９】第３の実施形態に係るアンテナを示す平面図および正面図である。
【図１０】第４の実施形態に係るアンテナを示す平面図である。
【発明を実施するための形態】
【００２６】
＜第１の実施形態＞
次に、本発明に係るアンテナの第１の実施形態について図１〜図４を参照しつつ説明する。以下、「右側」および「左側」の語は、図１に正対した場合における右側および左側を指すものとして用いる。
【００２７】
本アンテナは、図１に示すように、所定の方向に延びる基板１と、基板１上に設けられた給電部２と、基板１上に設けられた終端抵抗部３と、基板１上に設けられ、給電部２と終端抵抗部３を通電可能な状態で接続するストリップライン部４と、基板１上に設けられ、電波を線状に放射する無給電電極部５と、基板１の裏面に設けられた金属板６を備えている。
【００２８】
前記基板１は、アンテナの基材であって、ガラス繊維とエポキシ樹脂とを含むプリント基板である。この基板１は、長さ２７５ｍｍ、幅１５ｍｍ、厚み３ｍｍの幅狭な板状に形成されている。
【００２９】
前記給電部２は、本アンテナのストリップライン部４に電流を供給するためのものであって、基板１の表面の左端部１ａに設けられている。この給電部は、左側に図示略の無線機器のケーブル端子が接続されるとともに、右側にストリップライン部４が接続されている。このため無線機器からケーブルを介して給電部に電磁波が入力されると、ストリップライン部に電流を供給することができる。
【００３０】
前記終端抵抗部３は、ストリップライン部４を流れた電流の不要な反射が発生することを防止するためのものであって、基板１の表面の右端部１ｃに設けられている。この終端抵抗部３は、左側にストリップライン部４が接続されている。なお、終端抵抗部３は、ストリップライン部４の線路インピーダンスと同じインピーダンスの抵抗である。
【００３１】
前記ストリップライン部４は、給電部２から供給された電流が流れる導体の線路であって、基板１の長さ方向に延びる態様に形成されている。具体的には、このストリップライン部４は、給電部２に接続されている給電接続部４１と、終端抵抗部３に接続されている終端抵抗接続部４２と、給電接続部４１と終端抵抗接続部４２とを接続するマイクロストリップライン本体４３とを備える。なお、ストリップライン部４は、表面が絶縁性の塗料で塗装されている。
【００３２】
前記給電接続部４１は、基板１の表面の左端部１ａにおいて、大きさが長さ５ｍｍ、幅５．５ｍｍ程度に形成されている。
【００３３】
前記終端抵抗接続部４２は、基板１の表面の右端部１ｃにおいて、大きさが長さ５ｍｍ、幅５．５ｍｍ程度に形成されている。 
【００３４】
前記マイクロストリップライン本体４３は、基板１の表面の中間部１ｂにおいて、給電接続部４１から基板１の幅方向に２つのマイクロストリップライン４３ａ、４３ｂに分岐したあと、基板１の長さ方向に延び、かつ基板１の幅方向に互いに所定距離を隔てながら横列状態に並び、いずれも終端抵抗接続部４２に収束しながら到達する態様に形成されている。このマイクロストリップライン４３ａ、４３ｂは、いずれも幅２ｍｍで基板１の長さ方向に延び、互いに７ｍｍ程の距離を隔てながら横列状態に並んでいる。 
【００３５】
なお、マイクロストリップライン４３ａ、４３ｂは、上記した幅に限定されるものではないが、線路インピーダンスが無線機器の出力インピーダンス（本実施形態では５０Ω）となるような幅であるのが好ましい。
【００３６】
前記無給電電極部５は、マイクロストリップライン本体４３のマイクロストリップライン４３ａ、４３ｂの間において、基板１の長さ方向に延び、かつ前記マイクロストリップライン４３ａ、４３ｂと所定距離を隔てる態様で設けられた複数の無給電電極部５ａ〜５ｄからなる。
【００３７】
具体的には、無給電電極部５は、マイクロストリップライン本体４３の左側の第１のエリアＡ１に１本の無給電電極部５ａが設けられている。この第１のエリアＡ１の無給電電極部５ａは、幅１．５ｍｍ程度に形成され、両側のマイクロストリップライン４３ａ、４３ｂから距離Ｄ１を隔てて設けられている。
【００３８】
また、マイクロストリップライン本体４３の右側の第２のエリアＡ２に３本の無給電電極部５ｂ、５ｃ、５ｄが設けられている。これら無給電電極部５ｂ、５ｃ、５ｄは、基板１の幅方向に互いに所定距離を隔てながら横列状態に並ぶ態様、かつ第１のエリアＡ１の無給電電極部５ａと所定距離を隔てながら縦列状態に並ぶ態様で設けられている。このうち第２のエリアＡ２の外側の無給電電極部５ｂ、５ｄは、幅１．５ｍｍ程度に形成され、両側のマイクロストリップライン４３ａ、４３ｂから距離Ｄ２を隔てて設けられている。また第２のエリアＡ２の内側の無給電電極部５ｃは、幅１ｍｍ程度に形成され、無給電電極部５ｂ、５ｃの間において、両側のマイクロストリップライン４３ａ、４３ｂのいずれからも距離Ｄ３を隔てて設けられている。
【００３９】
なお、この無給電電極部５は、いずれも各マイクロストリップライン４３ａ、４３ｂを流れる電流の周波数の半波長程度の長さを有している。例えば、各マイクロストリップライン４３ａ、４３ｂを流れる電流の周波数が９２０ＭＨｚの場合は長さ８０〜１００ｍｍ程、２．４５ＧＨｚの場合は長さが３０〜４０ｍｍ程、５ＧＨｚの場合は長さが１０〜２０ｍｍ程にそれぞれ形成されるのが好ましい。
【００４０】
前記金属板６は、ストリップライン部４を構成するためのグランド電極である。この金属板６は、長さが放射される電波の一波長程度とされるのが好ましい。なお、金属板６は、表面が絶縁性の塗料で塗装されている。
【００４１】
而して、電流が給電部２から各マイクロストリップライン４３ａ、４３ｂを流れて終端抵抗部３に到達すると、マイクロストリップライン４３ａ、４３ｂの周囲に電界および磁界が生じ、各マイクロストリップライン４３ａ、４３ｂと無給電電極部５が電磁的に結合するため、無給電電極部５の内部に電流が発生して、無給電電極部５から電波が放射される。このとき無給電電極部５は、各マイクロストリップライン４３ａ、４３ｂを流れる電流の周波数の半波長程度の長さを有しているため、無給電電極部５から放射される電波が共振することにより、十分な強度の電波を線状に放射することができる。
【００４２】
また、第２のエリアＡ２には本の無給電電極部５ｂ、５ｃ、５ｄが基板１の幅方向に横列状態に並ぶ態様で設けられているため、強度の大きな電波を効率良く線状に放射することができる。
【００４３】
また、一般に各マイクロストリップライン４３ａ、４３ｂを流れる電流は給電部２から終端抵抗部３にかけて次第に微弱となることから、各マイクロストリップライン４３ａ、４３ｂの周囲の電界および磁界も狭くなっていく。このため通常では無給電電極部５を流れる電流も次第に微弱となって、無給電電極部５から放射される電界の強度も次第に弱まっていく。しかしながら、本実施形態では、無給電電極部５は、基板１の長さ方向に沿って給電部２から終端抵抗部３に向かうに従って、基板１の幅方向の横列数が２段階で増加する態様で設けられているため、図４に示すように、基板１の長さ方向に沿って給電部２から終端抵抗部３に向かうに従って十分な強度の電波をバランス良く線状に放射することができる。
＜第２の実施形態＞
【００４４】
次に、本発明に係るアンテナの第２の実施形態について図５〜図８を参照しつつ説明する。なお、本実施形態のアンテナは、給電部２および終端抵抗部３は第１の実施形態に示すものと同一のため、同一の符号を付して、その説明を省略する。また、基板１およびストリップライン部４は、長さが異なるのみであり、形状が同一のため、同一の符号を付して、その説明を省略する。
【００４５】
前記無給電電極部５は、マイクロストリップライン本体４３のマイクロストリップライン４３ａ、４３ｂの間において、基板１の長さ方向に延び、かつ前記マイクロストリップライン４３ａ、４３ｂと所定距離を隔てる態様で設けられた複数の無給電電極部５ｅ〜５ｊからなる。
【００４６】
具体的には、マイクロストリップライン本体４３の左側の第１のエリアＢ１に、１本の無給電電極部５ｅが設けられている。この第１のエリアＢ１の無給電電極部５ｅは、幅１．５ｍｍ程度に形成され、両側のマイクロストリップライン４３ａ、４３ｂから距離Ｄ１を隔てて設けられている。
【００４７】
また、マイクロストリップライン本体４３の中間の第２のエリアＢ２に、２本の無給電電極部５ｆ、５ｇが設けられている。この第２のエリアＢ２の無給電電極部５ｆ、５ｇは、基板１の幅方向に互いに所定距離を隔てながら横列状態に並ぶ態様、かつ第１のエリアＢ１の無給電電極部５ｅと所定距離を隔てながら縦列状態に並ぶ態様で設けられている。また、この第２のエリアＢ２の無給電電極部５ｆ、５ｇは、幅１．５ｍｍ程度に形成され、両側のマイクロストリップライン４３ａ、４３ｂから距離Ｄ２を隔てて設けられている
【００４８】
また、マイクロストリップライン本体４３の右側の第３のエリアＢ３に、３本の無給電電極部５ｈ、５ｉ、５ｊが設けられている。この無給電電極部５ｈ、５ｉ、５ｊは、基板１の幅方向に互いに所定距離を隔てながら横列状態に並ぶ態様、かつ第２のエリアＢ２の無給電電極部５ｆ、５ｇと所定距離を隔てながら縦列状態に並ぶ態様で設けられている。このうち第３のエリアＢ３の無給電電極部５ｈ、５ｊは、幅１．５ｍｍ程度に形成され、両側のマイクロストリップライン４３ａ、４３ｂから距離Ｄ２を隔てて設けられている。一方、第３のエリアＢ３の無給電電極部５ｉは、無給電電極部５ｈ、５ｊの間において、幅１ｍｍ程度に形成され、両側のマイクロストリップライン４３ａ、４３ｂのいずれからも距離Ｄ３を隔てて設けられている。
【００４９】
なお、この無給電電極部５は、いずれもマイクロストリップライン４３ａ、４３ｂを流れる電流の周波数の半波長程度の長さを有している。
【００５０】
本実施形態では、無給電電極部５は、基板１の長さ方向に沿って給電部２から終端抵抗部３に向かうに従って、基板１の幅方向の横列数が３段階で増加する態様で設けられているため、図８に示すように、基板１の長さ方向に沿って給電部２から終端抵抗部３に向かうに従って十分な強度の電波をより一層バランス良く線状に放射することができる。
＜第３の実施形態＞
【００５１】
次に、本発明に係るアンテナの第３の実施形態について図９を参照しつつ説明する。なお、本実施形態のアンテナは基板１、給電部２、終端抵抗部３およびストリップライン部４は、第１の実施形態に示すものと同一のため、同一の符号を付して、その説明を省略する。
【００５２】
マイクロストリップライン本体４３の第２のエリアＡ２に、幅広の無給電電極部５ｋが設けられている。この無給電電極部５ｋは、第１のエリアＡ１の無給電電極部５ａと所定距離を隔てながら縦列状態に並ぶ態様で設けられている。また、無給電電極部５ｋは、幅５ｍｍ程度に形成され、両側のマイクロストリップライン４３ａ、４３ｂのいずれからも距離１ｍｍ程度を隔てて設けられている。
【００５３】
而して、マイクロストリップライン４３ａ、４３ｂと無給電電極部５ｋの距離が近くなることから、マイクロストリップライン４３ａ、４３ｂと無給電電極部５ｋが電磁的に強く結合することとなり、幅狭の無給電電極部に比べて放射される電波の強度を大きくすることができる。よって、本実施形態のように、基板１の長さ方向に沿って給電部２から終端抵抗部３に向かうに従って、基板１の幅方向の長さが段階的に長くなる態様で設けられると、基板１の長さ方向に沿って給電部２から終端抵抗部３に向かうに従って十分な強度の電波をバランス良く線状に放射することができる。
＜第４の実施形態＞
【００５４】
次に、本発明に係るアンテナの第４の実施形態について図１０を参照しつつ説明する。なお、本実施形態のアンテナは基板１、給電部２、終端抵抗部３および無給電電極部５は、第１の実施形態に示すものと同一のため、同一の符号を付して、その説明を省略する。
【００５５】
本実施形態では、ストリップライン部４の形状を変更している。例えば、図１０（ａ）に示すアンテナでは、ストリップライン部４は、一つの給電部２から複数の各マイクロストリップライン４３ａ、４３ｂに分岐したあと、基板１の長さ方向に延びかつ基板１の幅方向に所定間隔を隔てる態様で横列状態に並び、互いに異なる終端抵抗部３、３に接続する。
【００５６】
また、図１０（ｂ）に示すアンテナでは、ストリップライン部４は、異なる給電部２、２からマイクロストリップライン４３ａ、４３ｂが基板１の長さ方向に延びかつ基板１の幅方向に所定間隔を隔てる態様で横列状態に並び、いずれも同一の終端抵抗部３に接続する。
【００５７】
また、図１０（ｃ）に示すアンテナでは、ストリップライン部４は、異なる給電部２、２からマイクロストリップライン４３ａ、４３ｂが基板１の長さ方向に延びかつ基板１の幅方向に所定間隔を隔てる態様で横列状態に並び、互いに異なる終端抵抗部３、３に接続する。
【００５８】
なお、以上の実施形態では、ストリップライン部４は２列のマイクロストリップラインからなるとしたが、これに限られず、３列以上のマイクロスリットラインからなるものであってもよい。
【００５９】
また、同一エリアに並ぶ無給電電極部５の本数が１〜３本のものを示したが、これに限られず、同一エリアに並ぶ無給電電極部５の本数が４本以上であってもよい。
【００６０】
また、給電部２から終端抵抗部３に向かうに従って、無給電電極部５の本数が２段階または３段階に増加するものを示したが、これに限られず、１段階のみまたは４段階以上に増加するものであってもよい。
【００６１】
また、無給電電極部５の長さをマイクロストリップライン４３ａ、４３ｂを流れる電流の周波数の半波長程度としたが、半波長の整数倍であれば、その他の長さであってもよい。
【００６２】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６３】
１…基板
２…給電部
３…終端抵抗部
４…ストリップライン部
４１…給電接続部
４２…終端抵抗接続部
４３…マイクロストリップライン本体
４３ａ、４３ｂ…マイクロストリップライン
５…無給電電極部
６…金属板
【図１】
2015198372.tif 000003
【図２】
2015198372.tif 000004
【図３】
2015198372.tif 000005
【図４】
2015198372.tif 000006
【図５】
2015198372.tif 000007
【図６】
2015198372.tif 000008
【図７】
2015198372.tif 000009
【図８】
2015198372.tif 000010
【図９】
2015198372.tif 000011
【図１０】
2015198372.tif 000012